(57)【要約】【課題】  従来のクリーンルームには、外界と内部を区画する界壁が設けられており、清浄な雰囲気内に保管されている物品の搬出や内部へ物品を搬入するには、移動と扉の開閉やパスボックスが設置されている場合には蓋の開閉が必要になり、清浄な雰囲気で保管されていた物品を持出して直ちに使用し、あるいは物品を清浄な雰囲気で直ちに保管することができない。また、クリーンルームの外は清浄な雰囲気であるとは限らず、持出した物品が浮遊微粒子や浮遊微生物に汚染される問題がある。【解決手段】  清浄空気を供給するファンフィルターユニットの筐体上面に物品を載せる受皿を設置し、受皿周囲より清浄空気を上向きから水平方向の受皿中央にかけて吹出す多孔板吹出し口を設け、清浄空気流により受皿上の収納保管部への浮遊微粒子の侵入を抑制し、開放状態で物品を清浄な雰囲気内に保管できるようにするとともに、筐体下面に移動手段としてのキャスターを設けた。【選択図】図１
2007223800.tif 000002
【特許請求の範囲】
【請求項１】
清浄空気を供給するファンフィルターユニットの筐体上面に物品を載せる受皿を設置し、前記受皿の周囲より清浄空気を上向きから水平方向の受皿中央にかけて吹出す多孔板吹出し口を設け、清浄空気流により受皿上の収納保管部への浮遊微粒子の侵入を抑制し、開放状態で物品を清浄な雰囲気内に保管できるよう構成されていることを特徴とする開放型清浄保管装置。
【請求項２】
請求項１に記載の開放型清浄保管装置であって、筐体下面に移動手段としてのキャスターを設けている構成を特徴とする開放型清浄保管装置。
【発明の詳細な説明】
【技術分野】
【０００１】  本発明は、開放状態で清浄な雰囲気内に物品を保管するための開放型清浄保管装置に関する。
【背景技術】
【０００２】  物品を清浄な雰囲気内に保管するためには、従来の周知の例として、クリーンルームやクリーンブースあるいはクリーンベンチの内部に保管することが一般的であり、いずれの場合も外界と内部を区画する界壁が設けられ、内部に清浄空気を満たして清浄な雰囲気で保管できるように構成されている（非特許文献１参照。）。
【非特許文献１】「社団法人日本空気清浄協会編、コンタミネーションコントロール便覧１９９６、Ａ・１  クリーンルーム」
【発明の開示】
【発明が解決しようとする課題】
【０００３】  クリーンルームには、外界と内部を区画する界壁が設けられており、清浄な雰囲気の内部に保管されている物品の搬出や内部へ物品を搬入するには、扉の開閉やパスボックスが設置されている場合には蓋の開閉が必要になる。クリーンルームの外へ物品を持出し、あるいはクリーンルームの外から内部に物品を保管するためには移動と前記開閉動作が必要となり、清浄な雰囲気で保管されていた物品を直ちに使用し、あるいは物品を清浄な雰囲気で直ちに保管することができない問題がある。【０００４】  クリーンブースについても外界と内部を区画するビニルカーテンが設けられており、同様の問題がある。【０００５】  クリーンベンチについても記せば、一つの境界壁側のみが開放されているだけで三方に外界と内部を区画する界壁が設けられているので、物品の搬入や搬出には移動を余儀なくされることもあり、やはり制約をうける。【０００６】  クリーンルームやクリーンブースあるいはクリーンベンチの外界は、清浄な雰囲気であるとは限らず、持ち出した物品が浮遊微粒子や浮遊微生物に汚染される問題もある。【０００７】  具体的には医療現場においては、無菌手術室（クリーンルーム）でない手術室で手術が行われることがある。この場合には使用する手術器具を滅菌器から取り出してカート上に手術が始まるまで並べ置かれるが、このときに空気中の浮遊微生物により汚染されてしまう問題がある。【０００８】  清浄な雰囲気内に保管する物品が大量の場合には、クリーンルームやクリーンブースは内容量が大きいので有効であるが、小型少量の場合には非経済的であり不合理でもある。【０００９】  さらに、クリーンルームはもちろんクリーンブースやクリーンベンチは、手軽に移動させて使用することはできない。
【課題を解決するための手段】
【００１０】  前記課題を解決する請求項１に記載の本発明は、清浄空気を供給するファンフィルターユニットの筐体上面に物品を載せる受皿を設置し、前記受皿の周囲より清浄空気を上向きから水平方向の受皿中央にかけて吹出す多孔板吹出し口を設け、清浄空気流により受皿上の収納保管部への浮遊微粒子の侵入を抑制し、開放状態で物品を清浄な雰囲気内に保管できるようにした。【００１１】  また、請求項１に記載の開放型清浄保管装置であって、筐体下面に移動手段としてのキャスターを設けた。
【発明の効果】
【００１２】  本発明の開放型清浄保管装置は、清浄空気流により浮遊微粒子の侵入を抑制された、受皿上の清浄な雰囲気内の収納保管部と外界とを区画する必要がなく、開放されているので物品を清浄な雰囲気内に保管し、あるいは清浄な雰囲気内から物品を取出すために、扉や蓋あるいはカーテンの開閉動作をすることなく、直ちに物品を清浄な雰囲気内に保管し、あるいは直ちに清浄な雰囲気内から物品を取出すことができる。【００１３】  本発明の開放型清浄保管装置に移動手段としてのキャスターを設けた場合には、任意の必要場所に移動して配置することができるので、物品を清浄な雰囲気内に保管することや、あるいは清浄な雰囲気内から物品を取出すために、作業者がわざわざ保管場所のクリーンルームやクリーンブースあるいはクリーンベンチへ移動する必要がなくなる。【００１４】  さらに、クリーンルームやクリーンブースあるいはクリーンベンチに保管されていた物品を本発明の開放型清浄保管装置の清浄な雰囲気内の収納保管部に収めたままで、任意の場所へ移動することもできる。【００１５】  清浄な雰囲気でない室内においても本発明の開放型清浄保管装置は、物品を清浄な雰囲気内に収納保管することができるため、あえて室内全体をクリーンルームにしたり、大掛かりなクリーンブースやクリーンベンチを備える必要がなく、運転コストも安価で大きなスペースを必要としないことから、経済的にも優れた効果がある。
【発明を実施するための最良の形態】
【００１６】  本発明の開放型清浄保管装置について実施するための最良の形態としては、図１に示すように清浄空気を供給するファンフィルターユニット４に、周囲空気９を吸引し排出するファン２と空気前処理用のプレフィルター１および浮遊微粒子を濾過するメインフィルター３を具備するもので、ファンフィルターユニット４の筐体下面には移動できるようキャスター５を取付け、筐体上面には物品を載せる受皿６を設置する。【００１７】  次に受皿６の周囲より清浄空気を上向きから水平方向の受皿６中央にかけて吹出す多孔板吹出し口７を設け、清浄空気流８により受皿６上の収納保管部１０への浮遊微粒子の侵入を抑制し、開放状態で物品を清浄な雰囲気内に保管できるようにする。【００１８】  さらに詳細を説明すると、プレフィルター１は粗塵を除去する不織布とし、メインフィルター３としては、粒径０．３μｍ以上の浮遊微粒子を９９．９７％以上捕集するＨＥＰＡフィルターを使用するか、粒径０．１μｍ以上の浮遊微粒子を９９．９９９％以上捕集するＵＬＰＡフィルターを用いてもよい。【００１９】  あるいは捕集した浮遊微粒子中に含まれる浮遊微生物を殺菌する溶菌酵素を含有する濾材のＨＥＰＡフィルターを用いることもできる。【００２０】  ファン２としては、薄型のプレートファンまたは機器組込み用の薄型シロッコファンが好ましい。【００２１】  多孔板吹出し口７については、受皿６の周囲において吹出し面が上向きから水平方向の受皿６中央にかけて清浄空気流８が流れるように留意する。【００２２】  キャスター５としては、自在型でストッパー機構の付属するものがよい。移動に際して取っ手が必要な場合は、筐体側面に設置することもできる。【００２３】  本体材質としては、水分や薬液にたいして錆びにくいステンレス鋼が好ましい。【００２４】  また、非常用の開放型清浄保管装置として使用するならば、バッテリー運転が可能となる電源装置を本発明の開放型清浄保管装置に組込むこともできる。
【図面の簡単な説明】
【００２５】
【図１】    本発明の開放型清浄保管装置の空気動線及び構成を示した断面図である。
【図２】    本発明の開放型清浄保管装置の収納保管部の領域を示した断面図である。
【図３】    本発明の開放型清浄保管装置の外観を示した鳥瞰図である。
【符号の説明】
【００２６】          １  プレフィルター                ６  受皿
２  ファン                        ７  多孔板吹出し口
３  メインフィルター              ８  清浄空気流
４  ファンフィルターユニット      ９  周囲空気
５  キャスター                  １０  収納保管部
【図１】
2007223800.tif 000003
【図２】
2007223800.tif 000004
【図３】
2007223800.tif 000005